【手続補正書】
【提出日】平成24年12月11日(2012.12.11)
【手続補正１】
【補正対象書類名】明細書
【補正対象項目名】００１７
【補正方法】変更
【補正の内容】
【００１７】
上記目的達成のため、本願発明による汎用かつらは、ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、上記ベースは極薄かつ透湿性のフィルム状素材からなり、上記ヘア材は植付け基端となる根部を上記ベースの一面に密着させて設けるとともに、自由端部を他面側に現出させ、上記第１粘着層は粘着力が比較的強くかつゲル化の程度が比較的大なる性質の粘着剤からなり、上記第２粘着層は粘着力が比較的弱くかつゲル化の程度が比較的小なる性質の粘着剤からなり、上記タンク層は上記ベースと同一のフィルム状素材からなり、上記第１粘着層と上記第２粘着層とを上記タンク層を介して隣り合わせに設け、第１剥離層は上記第２粘着層の皮膚へ装着される側の全部の面に剥離可能に貼付され、第２剥離層は上記第１粘着層と上記タンク層の間の一部の面に積層されるとともに上記第１粘着層に剥離可能に貼付され、上記ベース、上記第１粘着層、上記第２剥離層、タンク層、第２粘着層及び上記第１剥離層の順に積層され実質的に２次元形状の多層構造体として形成されることを特徴とする。
また、請求項１記載の汎用かつらにおいて、上記第２剥離層が上記第１粘着層の後半部に形成されることを特徴とする。
また、請求項１又は請求項２記載の汎用かつらにおいて、上記ヘア材は自由端部を引張状態において上記ベースに植え付けられることを特徴とする。
また、請求項１記載の汎用かつらにおいて、上記第１粘着層の粘着力は上記第２粘着層の粘着力の約５倍程度であることを特徴とする。
また、請求項１記載の汎用かつらにおいて、上記ヘア材は上記ベースにランダムに植え付けられることを特徴とする。
また、本願発明によるかつらの装着方法は、第２剥離層が積層されている部分（以下、「積層部位」という）に対応する第１剥離層を剥して露出された第２粘着層を頭部の該当部位に貼付するステップと、残余の第１剥離層を剥して上記積層部位以外の部分の第２粘着層を頭部に貼付するステップと、上記積層部位に対応する第２粘着層に１次シワ付けをするステップと、該１次シワ付けされた部分を隣接部分に接着するステップと、第２剥離層を剥して第１粘着層の上記積層部位を露出するステップと、上記第２粘着層の全部が頭部に貼付された状態で２次シワ付けをするステップと、上記２次シワ付けされた状態のままで上記第１粘着層をタンク層の上に貼付するステップと、上記２次シワ付けされた部分を根本付近から切除するステップとからなることを特徴とする。
また、本願発明によるカスタマイズかつらは、ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、上記ベースは極薄かつ透湿性のフィルム状素材からなり、上記ヘア材は植付け基端となる根部を上記ベースの一面に密着させて設けるとともに、自由端部を他面側に現出させ、上記第１粘着層は粘着力が比較的強くかつゲル化の程度が比較的大なる性質の粘着剤からなり、上記第２粘着層は粘着力が比較的弱くかつゲル化の程度が比較的小なる性質の粘着剤からなり、上記タンク層は上記ベースと同一のフィルム状素材からなり、上記第１粘着層と上記第２粘着層とを上記タンク層を介して隣り合わせに設け、第１剥離層は上記第２粘着層の皮膚へ装着される側の全部の面に剥離可能に貼付され、第２剥離層は上記第１粘着層と上記タンク層の間の一部の面に積層されるとともに上記第１粘着層に剥離可能に貼付され、上記ベース、上記第１粘着層、上記第２剥離層、タンク層、第２粘着層及び上記第１剥離層の順に積層され実質的に３次元形状の多層構造体として形成され、上記タンク層に１次シワ付けにより１次シワが形成され、該１次シワが隣接部分に接着され、上記第１粘着層に２次シワ付けにより２次シワが形成され、該２次シワが根本付近から切除されることを特徴とする。
また、請求項７記載のカスタマイズかつらにおいて、上記第２剥離層が上記第１粘着層の後半部に形成されることを特徴とする。
また、請求項７又は請求項８記載のカスタマイズかつらにおいて、上記ヘア材は自由端部を引張状態において上記ベースに植え付けられることを特徴とする。
また、請求項７記載のカスタマイズかつらにおいて、上記第１粘着層の粘着力は上記第２粘着層の粘着力の約５倍程度であることを特徴とする。
また、請求項７記載のカスタマイズかつらにおいて、上記ヘア材は上記ベースにランダムに植え付けられることを特徴とする。
【手続補正２】
【補正対象書類名】特許請求の範囲
【補正対象項目名】全文
【補正方法】変更
【補正の内容】
【特許請求の範囲】
【請求項１】
ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、
上記ベースは極薄かつ透湿性のフィルム状素材からなり、
上記ヘア材は植付け基端となる根部を上記ベースの一面に密着させて設けるとともに、自由端部を他面側に現出させ、
上記第１粘着層は粘着力が比較的強くかつゲル化の程度が比較的大なる性質の粘着剤からなり、
上記第２粘着層は粘着力が比較的弱くかつゲル化の程度が比較的小なる性質の粘着剤からなり、
上記タンク層は上記ベースと同一のフィルム状素材からなり、
上記第１粘着層と上記第２粘着層とを上記タンク層を介して隣り合わせに設け、
第１剥離層は上記第２粘着層の皮膚へ装着される側の全部の面に剥離可能に貼付され、
第２剥離層は上記第１粘着層と上記タンク層の間の一部の面に積層されるとともに上記第１粘着層に剥離可能に貼付され、
上記ベース、上記第１粘着層、上記第２剥離層、タンク層、第２粘着層及び上記第１剥離層の順に積層され実質的に２次元形状の多層構造体として形成されることを特徴とする汎用かつら。
【請求項２】
請求項１記載の汎用かつらにおいて、上記第２剥離層が上記第１粘着層の後半部に形成されることを特徴とする汎用かつら。
【請求項３】
請求項１又は請求項２記載の汎用かつらにおいて、上記ヘア材は自由端部を引張状態において上記ベースに植え付けられることを特徴とする汎用かつら。
【請求項４】
請求項１記載の汎用かつらにおいて、上記第１粘着層の粘着力は上記第２粘着層の粘着力の約５倍程度であることを特徴とする汎用かつら。
【請求項５】
請求項１記載の汎用かつらにおいて、上記ヘア材は上記ベースにランダムに植え付けられることを特徴とする汎用かつら。
【請求項６】
第２剥離層が積層されている部分（以下、「積層部位」という）に対応する第１剥離層を剥して露出された第２粘着層を頭部の該当部位に貼付するステップと、
残余の第１剥離層を剥して上記積層部位以外の部分の第２粘着層を頭部に貼付するステップと、
上記積層部位に対応する第２粘着層に１次シワ付けをするステップと、
該１次シワ付けされた部分を隣接部分に接着するステップと、
第２剥離層を剥して第１粘着層の上記積層部位を露出するステップと、
上記第２粘着層の全部が頭部に貼付された状態で２次シワ付けをするステップと、
上記２次シワ付けされた状態のままで上記第１粘着層をタンク層の上に貼付するステップと、
上記２次シワ付けされた部分を根本付近から切除するステップとからなることを特徴とするかつらの装着方法。
【請求項７】
ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、
上記ベースは極薄かつ透湿性のフィルム状素材からなり、
上記ヘア材は植付け基端となる根部を上記ベースの一面に密着させて設けるとともに、自由端部を他面側に現出させ、
上記第１粘着層は粘着力が比較的強くかつゲル化の程度が比較的大なる性質の粘着剤からなり、
上記第２粘着層は粘着力が比較的弱くかつゲル化の程度が比較的小なる性質の粘着剤からなり、
上記タンク層は上記ベースと同一のフィルム状素材からなり、
上記第１粘着層と上記第２粘着層とを上記タンク層を介して隣り合わせに設け、
第１剥離層は上記第２粘着層の皮膚へ装着される側の全部の面に剥離可能に貼付され、
第２剥離層は上記第１粘着層と上記タンク層の間の一部の面に積層されるとともに上記第１粘着層に剥離可能に貼付され、
上記ベース、上記第１粘着層、上記第２剥離層、タンク層、第２粘着層及び上記第１剥離層の順に積層され実質的に３次元形状の多層構造体として形成され、
上記タンク層に１次シワ付けにより１次シワが形成され、該１次シワが隣接部分に接着され、
上記第１粘着層に２次シワ付けにより２次シワが形成され、該２次シワが根本付近から切除されることを特徴とするカスタマイズかつら。
【請求項８】
請求項７記載のカスタマイズかつらにおいて、上記第２剥離層が上記第１粘着層の後半部に形成されることを特徴とするカスタマイズかつら。
【請求項９】
請求項７又は請求項８記載のカスタマイズかつらにおいて、上記ヘア材は自由端部を引張状態において上記ベースに植え付けられることを特徴とするカスタマイズかつら。
【請求項１０】
請求項７記載のカスタマイズかつらにおいて、上記第１粘着層の粘着力は上記第２粘着層の粘着力の約５倍程度であることを特徴とするカスタマイズかつら。
【請求項１１】
請求項７記載のカスタマイズかつらにおいて、上記ヘア材は上記ベースにランダムに植え付けられることを特徴とするカスタマイズかつら。
【手続補正３】
【補正対象書類名】図面
【補正対象項目名】図１０
【補正方法】変更
【補正の内容】
【図１０】
2011149112.tif 000001